(57)【要約】【課題】登録されたユーザにサービスを提供するネットワークを制御するための方法及びネットワークを提供する。【解決手段】本発明は、登録されたユーザにサービスを提供するネットワークを制御するための方法であって、ユーザのネットワーク装置(UE)からサービス要求を受け取り(A1)、ユーザが登録されているかどうかチェックし、そしてユーザが登録されていない場合に、警報情報を含む応答メッセージを発生し、その応答メッセージをユーザの上記ネットワーク装置(UE)へ送信する(A2; B3-B4)という段階を備えた方法を提案する。又、本発明は、それに対応するネットワーク装置も提案する。このようにして、ユーザには、ネットワークからサービスを受けられる前に登録しなければならないことが通知される。【選択図】図３
2008065841.tif 000002
【特許請求の範囲】
【請求項１】
登録されたユーザにサービスを提供するネットワークを制御するための方法であって、
ユーザのネットワーク装置(UE)からサービス要求を受け取り(A1; B1,B2)、
上記ユーザが登録されているかどうかチェックし、そして
上記ユーザが登録されていない場合に、警報情報を含む応答メッセージを発生し、その応答メッセージを上記ユーザの上記ネットワーク装置(UE)へ送信する(A2; B3-B4)、
という段階を備えた方法。
【請求項２】
上記応答メッセージは、ＳＩＰ（セッション開始プロトコル）応答である請求項１に記載の方法。
【請求項３】
上記ＳＩＰ応答は、４０３禁止応答である請求項２に記載の方法。
【請求項４】
上記警報情報は、警報テキストより成る請求項１に記載の方法。
【請求項５】
上記警報テキストは、予め定義された警報テキストである請求項４に記載の方法。
【請求項６】
上記警報情報は、予め定義された警報コードより成る請求項１に記載の方法。
【請求項７】
上記ユーザのネットワーク装置(UE)において自動登録をトリガーする段階(A3; B5)を更に備えた請求項１に記載の方法。
【請求項８】
ユーザが以前に有効な登録を有していたかどうかチェックする段階を更に備え、
ユーザが以前に有効な登録を有していない場合には、上記発生段階において、登録が必要であるという情報が上記警報情報に挿入される請求項１に記載の方法。
【請求項９】
ユーザが以前に有効な登録を有していたかどうか、そしてユーザの登録解除が実行されたかどうかチェックする段階を更に備え、
ユーザが以前に有効な登録を有していて、ユーザの登録解除が実行された場合には、上記発生段階において、再登録が必要であるという情報が上記警報情報に挿入される請求項１に記載の方法。
【請求項１０】
上記ネットワークは、第三世代のネットワークであり、そして上記発生段階は、プロキシーコール状態制御ファンクション（Ｐ−ＣＳＣＦ）において実行される請求項８に記載の方法。
【請求項１１】
上記ネットワークは、第三世代のネットワークであり、そして上記発生段階は、サービングコール状態制御ファンクション（Ｓ−ＣＳＣＦ）において実行される請求項９に記載の方法。
【請求項１２】
登録されたユーザにサービスを提供するネットワークを制御するためのネットワーク制御装置であって、
サービス要求を受け取り、サービスを要求しているユーザが登録されているかどうかチェックし、そしてユーザが登録されていない場合には、警報情報を含む応答メッセージを上記ユーザに発生する、
というように構成されたネットワーク制御装置。
【請求項１３】
上記応答メッセージは、ＳＩＰ（セッション開始プロトコル）応答である請求項１２に記載の装置。
【請求項１４】
上記ＳＩＰ応答は、４０３禁止応答である請求項１３に記載の装置。
【請求項１５】
上記警報情報は、警報テキストより成る請求項１２に記載の装置。
【請求項１６】
上記警報テキストは、予め定義された警報テキストである請求項１５に記載の装置。
【請求項１７】
上記警報情報は、予め定義された警報コードより成る請求項１２に記載の装置。
【請求項１８】
上記装置は、ユーザが以前に有効な登録を有していたかどうかチェックし、そしてユーザが以前に有効な登録を有していない場合には、登録が必要であるという情報を上記警報情報に挿入する請求項１２に記載の装置。
【請求項１９】
上記装置は、ユーザが以前に有効な登録を有していたかどうかチェックすると共に、ユーザの登録解除が実行されたかどうかチェックし、そしてユーザが以前に有効な登録を有していて、ユーザの登録解除が実行された場合には、再登録が必要であるという情報を上記警報情報に挿入する請求項１２に記載の装置。
【請求項２０】
上記ネットワークは、第三世代のネットワークであり、そして上記ネットワーク制御装置は、プロキシーコール状態制御ファンクション（Ｐ−ＣＳＣＦ）である請求項１又は１８に記載の装置。
【請求項２１】
上記ネットワークは、第三世代のネットワークであり、そして上記挿入段階は、サービングコール状態制御ファンクション（Ｓ−ＣＳＣＦ）において実行される請求項１又は１９に記載の装置。
【請求項２２】
請求項１２ないし２１のいずれかに記載のネットワーク制御装置を備えたネットワークシステムにおいて、ネットワーク装置(UE)を更に備え、該ネットワーク装置は、上記応答メッセージに反応して自動登録を実行するネットワークシステム。
【請求項２３】
登録されたユーザにサービスを提供するネットワークに接続できるネットワーク装置において、メッセージを受信し、そしてそのメッセージが所定の警報情報を含む場合にネットワークへの自動登録を実行するネットワーク装置。
【請求項２４】
上記警報情報は、警報コードを含む請求項２３に記載のネットワーク装置。
【請求項２５】
上記警報情報は、警報テキストを含む請求項２３に記載のネットワーク装置。
【発明の詳細な説明】
【技術分野】
【０００１】
本発明は、登録されたユーザにサービスを提供するネットワークを制御するための方法及びネットワークに係る。
【背景技術】
【０００２】
本発明は、登録されたユーザにサービスを提供するネットワークに関する。例えば、第三世代パートナーシッププロジェクト（３ＧＰＰ）によって定義されたＩＰマルチメディア（ＩＭ）サブシステムでは、ＵＥがマルチメディアサービスを利用できるようになる前に、ＵＥを登録しなければならない。
【０００３】
従って、ユーザ（即ちＵＥ）が登録要求（例えば、ＳＩＰ（セッション開始プロトコル）「登録」メッセージ）を最初に送信しない場合には、ネットワークは、そのユーザからのサービス要求を取り扱うことができず、欠陥を招く。従って、ユーザは、欠陥について通知されず、ひいては、欠陥の理由、即ちサービス要求が受け入れられないことの理由を識別することができない。
【０００４】
更に、３ＧＰＰ環境では、ネットワークは、「ネットワーク開始の登録解除」を開始することができる。これは、例えば、サーバーにおける問題を回避するために実行される。ユーザは、以前に通知されるように契約したかどうかそしてその状態に到達するかどうかに基づいて、そのアクションが通知されたり、されなかったりする。
【０００５】
ユーザがネットワークから登録解除されたが、上記理由の１つのためにそれが通知されない場合には、いつでもセッション開始要求をネットワークに送信することができる。この場合、ネットワークは、ユーザが登録されていないので、ユーザにサービスすることができない。しかしながら、この場合には、ユーザが、もはや登録されていないことに気付かない。
【発明の開示】
【発明が解決しようとする課題】
【０００６】
従って、上述した状態は、ユーザがサービスを受けられず、且つネットワークがユーザのサービス要求をなぜ受け入れないかユーザに分からないという問題を招く。
それ故、本発明の基礎となる目的は、公知技術の上記欠点を克服することである。
【課題を解決するための手段】
【０００７】
この目的は、登録されたユーザにサービスを提供するネットワークを制御するための方法であって、サービス要求を受け取り、サービスを要求しているユーザが登録されているかどうかチェックし、そしてユーザが登録されていない場合に、警報情報を含む応答メッセージを発生して、その応答メッセージをユーザに送信するという段階を備えた方法によって達成される。
【０００８】
或いは又、上記目的は、登録されたユーザにサービスを提供するネットワークを制御するためのネットワーク制御装置であって、サービス要求を受け取り、サービスを要求しているユーザが登録されているかどうかチェックし、そしてユーザが登録されていない場合に、警報情報を含む応答メッセージをユーザに発生するように構成されたネットワーク制御装置によって達成される。
【０００９】
従って、本発明の方法及び制御装置により、ユーザは、登録されていないことが自動的に通知される。従って、非登録ユーザのサービス要求の容易な取り扱いが達成される。
応答メッセージは、ＳＩＰ（セッション開始プロトコル）応答である。更に、ＳＩＰ応答は、４０３禁止応答である。従って、予め定義された標準的なメッセージを使用して、警報情報を搬送することができる。それ故、本発明は、既存のシステムに容易に適用できる。
【００１０】
警報情報は、警報テキストより成る。この警報テキストは、ユーザに分かり易いもので、状況を容易に通知することができる。
警報テキストは、予め定義された警報テキストである。このように、警報テキストが予め定義され、ひいては、ユーザに馴染み易いものであるので、ユーザに明確に通知することができる。
警報情報は、予め定義された警報コードより成る。このように、ユーザのユーザ装置（ＵＥ）は、予め定義されたコードを使用することにより非登録に関して容易に通知することができる。
【００１１】
更に、ユーザのネットワーク装置において自動登録がトリガーされる。即ち、ユーザのネットワーク装置は、特定の警報コードを含む受信応答メッセージに反応して自動登録を実行するように構成される。このように、ユーザが指令しなくても、必要な登録が実行される。
更に、ユーザが以前に有効な登録を有していたかどうかチェックされ、ユーザが以前に有効な登録を有していない場合には、登録が必要であるという情報が警報情報に挿入される。
【００１２】
或いは又、ユーザが以前に有効な登録を有していたかどうか、そしてユーザの登録解除が実行されたかどうかチェックされ、そしてユーザが以前に有効な登録を有していて、ユーザの登録解除が実行された場合には、再登録が必要であるという情報が警報情報に挿入される。
従って、ユーザが以前に有効な登録を有し且つ登録解除が実行されたという状態も考慮され、そしてユーザにこの状態が通知される。
【００１３】
ネットワークは、第三世代ネットワークであり、そして上記発生段階は、プロキシーコール状態制御ファンクション（Ｐ−ＣＳＣＦ）において実行される。
又、ネットワークは、第三世代ネットワークであり、そして上記発生段階は、サービングコール状態制御ファンクション（Ｓ−ＣＳＣＦ）において実行される。
又、本発明は、登録されたユーザにサービスを提供するネットワークに接続できるネットワーク装置であって、メッセージを受信し、そしてそのメッセージが所定の警報情報を含む場合にネットワークへの自動登録を実行するネットワーク装置も提案する。上記警報情報は、警報コードを含み、及び／又は警報テキストを含む。
【発明を実施するための最良の形態】
【００１４】
本発明は、添付図面を参照することにより容易に理解されよう。
以下、添付図面を参照して、本発明の好ましい実施形態を詳細に説明する。
図１は、本発明の実施形態を適用できる簡単なネットワークシステムを示す。このネットワークシステムは、第三世代パートナーシッププロジェクト（３ＧＰＰ）により定義されたＩＰマルチメディアサブシステム概念に基づいて構成される。
【００１５】
このネットワークシステムは、ユーザ装置（ＵＥ）のホームネットワークと、訪問先ネットワークとを備えている。ホームネットワークは、ユーザ（即ちＵＥ）に対するサービスを制御するサービングコール状態制御ファンクション（Ｓ−ＣＳＣＦ）を備えている。このＳ−ＣＳＣＦは、ユーザに関する情報を得るためにＨＳＳ（ホーム加入者サーバー）にアクセスする。訪問先ネットワークは、ＵＥをそのホームネットワークのＳ−ＣＳＣＦへ接続するためのインターフェイスファンクションを基本的に実行するプロキシーコール状態制御ファンクション（Ｐ−ＣＳＣＦ）を備えている。Ｓ−ＣＳＣＦは、ＵＥのホームネットワークに配置され、ＵＥは、訪問先ネットワークにおいてローミングし、Ｐ−ＣＳＣＦにアタッチされる。
【００１６】
次いで、第１の実施形態について説明する。第１の実施形態によれば、ユーザは、ネットワークに「登録(REGISTER)」を送信する前に、ＳＩＰ（セッション開始プロトコル）「インバイト(INVITE)」メッセージを送信する。ネットワークは、４０３禁止(403 Forbidden)メッセージを警報ヘッダと共にユーザへ返送する。
ＳＩＰでは、応答の状態に関する付加的な情報を搬送するために、警報ヘッダが応答メッセージに使用される。警報ヘッダは、次のフィールド、即ち警報コード、警報エージェント及び警報テキストを含む。
【００１７】
警報コードは、３つのデジットで構成される数字である。ＳＩＰ特有の警報コードは、第１デジットとしての３でスタートする。警報エージェントは、警報ヘッダを追加するサーバーの名前又は偽名を指示する。警報テキストは、人間のユーザに分かり易い平易テキストである。
この実施形態によれば、警報ヘッダは、「登録が必要(Registration Needed)」の警報テキストで構成される。この警報テキストは、３ＧＰＰ特有の警報コードに関連付けされる。ここでは、これをＳＩＰ特有の警報コードから区別するために、３以外の別のデジットでスタートしなければならない。３ＧＰＰ警報コードは、好ましくは、ネットワークに向って送信されるべき登録メッセージをＵＥにおいてトリガーしなければならない。
【００１８】
図２は、第１の実施形態によるシグナリングの流れを示すもので、上記の手順を詳細に示している。上述したように、ユーザ（即ちＵＥ）は、ネットワークに登録されていないと仮定する。即ち、ＵＥにより実行される第１アクションは、ステップＡ１に示すように、ＳＩＰインバイト要求をＰ−ＣＳＣＦに送信することである。この例では、ＵＥが登録されておらず、それに対応する応答がステップＡ２においてＵＥへ返送されると仮定する。
【００１９】
即ち、ステップＡ２において、Ｐ−ＣＳＣＦは、４．ｘｘ最終応答、好ましくは、４０３禁止メッセージをＵＥへ返送する。この４０３禁止メッセージには、例えば、「登録が必要」の警報テキストと、それに対応する３ＧＰＰ特有の警報コードとを含む警報ヘッダが含まれる。この警報コードは、標準化されねばならず、例えば、ＩＡＮＡ（インターネット・アサインド・ナンバーズ・オーソリティ）により定義されたものであるのが好ましい。
Ｐ−ＣＳＣＦは、ステップＡ２において、４０３禁止メッセージをＵＥへ送信する。従って、ＵＥには、ステップＡ１において送信されたＳＩＰインバイトメッセージが不首尾であったことが通知され、更に、ＵＥには、なぜインバイトメッセージが不首尾であったか、即ちＵＥがネットワークにまだ登録されていないためであることも通知される。
【００２０】
好ましくは、ＵＥは、ステップＡ３に示すように、４０３禁止メッセージによりトリガーされて、ＳＩＰ登録メッセージを送信する。上述した３ＧＰＰ特有の警報コードを使用することにより、ＵＥは、このような登録要求を自動的に送信するようにトリガーすることができ、ユーザがそれに対応する要求を手動で入力する必要はない。即ち、ＵＥは、上記警報コードの受信に応答して登録を自動的に実行することができる。
ステップＡ３においてＳＩＰ登録メッセージを送信した後に、通常の登録手順が実行される。簡略化のため、その詳細な説明は省略する。
【００２１】
上述した自動登録の場合に、警報テキストは任意であることに注意されたい。即ち、ＵＥの自動登録をトリガーするのに、警報コードが必要とされるだけである。
ユーザの登録がＰ−ＣＳＣＦにおいて終了した後にインバイトがＰ−ＣＳＣＦに到着したとき、即ち登録が時間的に制限された場合に、上述した同じ手順を使用して、ＵＥから登録をトリガーすることができる。「登録が必要である」の警報ヘッダは、Ｐ−ＣＳＣＦのみにより挿入されるのが好ましい。というのは、この要素は、ＵＥに対するネットワークのインターフェイスを与えるからである。
【００２２】
上記説明では、ユーザの状態に関する情報（即ち登録されているかどうか）がＨＳＳに記憶されると仮定されたことに注意されたい。しかしながら、この情報は、Ｓ−ＣＳＣＦ又はＰ−ＣＳＣＦのデータベースに記憶されてもよい。このように、ＨＳＳ又はホームネットワークに問合せを転送する必要性が排除される。
【００２３】
次いで、図３を参照して、第２の実施形態を説明する。
第２の実施形態では、ＵＥは登録されているが、ＵＥが登録されたホームネットワークがそのユーザに対し「ネットワーク開始の登録解除」を実行すると仮定する。これは、Ｓ−ＣＳＣＦが、登録されたユーザのデータベースからユーザを削除することを意味する。これは、Ｐ−ＣＳＣＦもそれを削除することを暗に意味するものではない。
【００２４】
以下、図３を参照して、このケースのついてのシグナリングを説明する。ステップＢ１では、ＵＥがＳＩＰインバイトメッセージをＰ−ＣＳＣＦへ送信する。ＵＥの登録がＰ−ＣＳＣＦにおいては有効であるが、Ｓ−ＣＳＣＦにおいて有効でないケースがある。従って、Ｐ−ＣＳＣＦがＳＩＰインバイトメッセージをステップＢ２においてＳ−ＣＳＣＦへ転送する。
【００２５】
しかしながら、Ｓ−ＣＳＣＦは、ＵＥが登録解除されたか又は登録に関連したタイマーが時間切れした等々を見つけ、即ちＵＥがもはや有効な登録を有していないことを見つける。従って、Ｓ−ＣＳＣＦは、４０３禁止応答をユーザに返送する。この筋書きでは、ユーザが最近有効な登録を有するかもしれないので、Ｓ−ＣＳＣＦは、「再登録が必要である」の警報テキストを伴う別の警報ヘッダを挿入するのが好ましい。第１の実施形態で述べたように、この警報テキストは、３ＧＰＰ特有の警報コード（第１の実施形態と同じでもよい）に関連付けされるのが好ましい。Ｓ−ＣＳＣＦは、このように構成された４０３禁止メッセージをＰ−ＣＳＣＦへ送信し（ステップＢ３）、これは、次いで、そのメッセージをＵＥへ転送する（ステップＢ４）。
【００２６】
第１の実施形態と同様に、警報テキスト及び警報コードは、好ましくは、ＵＥにおいて、ステップＢ５に示すように、ネットワークに向って送信されるべき再登録をトリガーしなければならない。その後、通常の登録手順が実行される。簡略化のために、その詳細な説明は省略する。
「再登録が必要である」の警報テキストは、Ｓ−ＣＳＣＦのみにより挿入されるのが好ましい。
【００２７】
ＳＩＰでは、登録及び再登録は全く同じに見えることに注意されたい。異なる警報テキストを有する理由は、ＵＥのユーザに、ユーザがネットワークにまだ登録されていないか、又は最近の有効な登録がネットワークにより無効化されたことを通知するためである。
本発明は、上述した実施形態に限定されないことに注意されたい。種々の変更や修正が可能である。
【００２８】
特に、上記実施形態を組み合せることができる。即ち、両手順をネットワークシステムに適用することができ、そしてＵＥに送信される４０３禁止メッセージは、状態に基づいて、「登録が必要」又は「再登録が必要」の警報テキスト及びそれに対応する警報コードを含んでもよい。
【００２９】
更に、ＩＰマルチメディアサブシステムは、一例に過ぎないことに注意されたい。即ち、本発明は、ユーザがサービスを利用できる前に登録されねばならないいかなるネットワークシステムにも適用することができる。
更に、ＳＩＰプロトコルも一例に過ぎない。むしろ、特定の警報テキスト及び／又は警報コードが含まれるプロトコルメッセージを使用することができる。
【図面の簡単な説明】
【００３０】
【図１】第１及び第２の実施形態を適用できるネットワークシステムを示す図である。
【図２】第１の実施形態による手順のシグナリング図である。
【図３】第２の実施形態による手順のシグナリング図である。
【図１】
2008065841.tif 000003
【図２】
2008065841.tif 000004
【図３】
2008065841.tif 000005
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
登録されたユーザにサービスを提供するネットワークを制御するための方法であって、
ユーザのネットワーク装置からサービス要求を受け取り、
上記ユーザが以前に有効な登録を有していたかどうか、そしてユーザの登録解除が実行されたかどうかをネットワーク制御装置においてチェックし、そして
上記ユーザが以前に有効な登録を有していて、ユーザの登録解除が実行された場合には、上記ユーザが登録されていないことを指示する警報情報に、再登録が必要であるという情報が挿入され、該警報情報を含む応答メッセージを上記ネットワーク制御装置から上記ユーザの上記ネットワーク装置へ送信し、上記ユーザの上記ネットワーク装置において上記応答メッセージに反応して自動登録をトリガーする、
という段階を備えた方法。
【請求項２】
上記応答メッセージは、ＳＩＰ（セッション開始プロトコル）応答である請求項１に記載の方法。
【請求項３】
上記ＳＩＰ応答は、４０３禁止応答である請求項２に記載の方法。
【請求項４】
上記警報情報は、警報テキストより成る請求項１に記載の方法。
【請求項５】
上記警報テキストは、予め定義された警報テキストである請求項４に記載の方法。
【請求項６】
上記警報情報は、予め定義された警報コードより成る請求項１に記載の方法。
【請求項７】
ユーザが以前に有効な登録を有していたかどうかチェックする段階を更に備え、
ユーザが以前に有効な登録を有していない場合には、上記発生段階において、登録が必要であるという情報が上記警報情報に挿入される請求項１に記載の方法。
【請求項８】
上記ネットワークは、第三世代のネットワークであり、そして上記発生段階は、プロキシーコール状態制御ファンクションにおいて実行される請求項７に記載の方法。
【請求項９】
上記ネットワークは、第三世代のネットワークであり、そして上記発生段階は、サービングコール状態制御ファンクションにおいて実行される請求項１に記載の方法。
【請求項１０】
登録されたユーザにサービスを提供するネットワークを制御するためのネットワーク制御装置と、ユーザと協働するネットワーク装置とを備えたネットワークシステムであって、上記ネットワーク制御装置は、
サービス要求を受け取り、サービスを要求している上記ユーザが以前に有効な登録を有していたかどうか、そしてユーザの登録解除が実行されたかどうかチェックし、そして上記ユーザが以前に有効な登録を有していて、ユーザの登録解除が実行された場合には、上記ユーザが登録されていないことを指示する警報情報に、再登録が必要であるという情報が挿入され、警報情報を含む応答メッセージを上記ユーザに発生する、
というように構成され、
上記ネットワーク装置は、上記応答メッセージに反応して自動登録を実行するように構成されたネットワークシステム。
【請求項１１】
上記応答メッセージは、ＳＩＰ（セッション開始プロトコル）応答である請求項１０に記載のネットワークシステム。
【請求項１２】
上記セッション開始プロトコルは、４０３禁止応答である請求項１１に記載のネットワークシステム。
【請求項１３】
上記警報情報は、警報テキストより成る請求項１０に記載のネットワークシステム。
【請求項１４】
上記警報テキストは、予め定義された警報テキストである請求項１３に記載のネットワークシステム。
【請求項１５】
上記警報情報は、予め定義された警報コードより成る請求項１０に記載のネットワークシステム。
【請求項１６】
上記装置は、ユーザが以前に有効な登録を有していたかどうかチェックし、そしてユーザが以前に有効な登録を有していない場合には、登録が必要であるという情報を上記警報情報に挿入する請求項１０に記載のネットワークシステム。
【請求項１７】
上記ネットワークは、第三世代のネットワークであり、そして上記ネットワーク制御装置は、プロキシーコール状態制御ファンクションである請求項１０又は１６に記載のネットワークシステム。
【請求項１８】
上記ネットワークは、第三世代のネットワークであり、そして上記ネットワーク制御装置は、サービングコール状態制御ファンクションである請求項１０に記載のネットワークシステム。
【請求項１９】
登録されたユーザにサービスを提供するネットワークを制御するためのネットワーク制御装置と、ユーザと協働するネットワーク装置とを備えたネットワークシステムに用いる上記ネットワーク装置であって、
上記ネットワーク制御装置は、サービス要求を受け取り、サービスを要求している上記ユーザが以前に有効な登録を有していたかどうか、そしてユーザの登録解除が実行されたかどうかチェックし、そして上記ユーザが以前に有効な登録を有していて、ユーザの登録解除が実行された場合には、上記ユーザが登録されていないことを指示する警報情報に、再登録が必要であるという情報が挿入され、該警報情報を含む応答メッセージを上記ユーザに発生する、というように構成され、
上記ネットワーク装置は、上記応答メッセージに反応して自動登録を実行するように構成された上記ネットワーク装置。
【請求項２０】
上記警報情報は、警報コードを含む請求項１９に記載のネットワーク装置。
【請求項２１】
上記警報情報は、警報テキストを含む請求項１９に記載のネットワーク装置。